(57)【要約】      （修正有）【課題】カップ穴のないグリーンや室内で、カップ穴がなくても、実際のカップ穴にボールを流し込む様な感覚でパターの練習ができて上達を助ける練習用具を提供する。【解決手段】パター又はアプローチの練習の際に用いられ、ゴルフの上達を助ける練習器具であって、５４ミリに対して数ミリの増減変動範囲内にある直径の平面体、平円体、球体又は円柱体の立ち上がり部分を有し、当該立ち上り部分の外周部（以下「５４ミリ部分」という。）の何処かにボールを接触させることでカップにボールが入ったとの想定により、ゴルフの上達を助ける。「５４ミリ部分」にボールが接触した際、その接触の衝撃力を利用し、立ち上り部分を軸回転させる仕組み、又は「５４ミリ部分」にボールが接触した際、接触による力を利用し、内蔵電池又はソーラー電池による発光又は発音をする仕組みを更に有し、ボールがカップに入ったとの想定を視覚又は聴覚により確認することができる。【選択図】図１
0003198855.tif 000002
【実用新案登録請求の範囲】
【請求項１】
パターやアプローチの練習の際、直径５４ミリ（※基本的な数値であり、難易度調整の数ミリ増減変動範囲を含む）の平面体や平円体及び球体及び円柱体等の立ち上り２１ミリ部分（但し、本件ゴルフボールの直径を４２．７ミリの設定とする）が平面状や円形状の形状（平板状やリング状やボール状やポール状や多角柱状等）を成す、本体外周部（以下「５４ミリ部分」という）の何処かにボールを接触させることでカップにボールが入ったとの想定により、ゴルフの上達を助ける練習器具。
【請求項２】
請求項１の「５４ミリ部分」にボールが接触した際、その接触の衝撃力を利用し、本体の多様種な模様を軸回転等で動移変化させる仕組み（以下「本体回転駒」という）や、接触による力を利用し、内臓電池やソーラー電源による発光や発音（以下「本体発光・発音」という）により、ボールがカップに入ったとの想定を視覚・聴覚等の五感認識により確認することができる、ゴルフの上達を助ける練習器具。
【考案の詳細な説明】
【技術分野】
【０００１】パター練習器具に関するものである。
【背景技術】
【０００２】従来のパター練習器具は、実際のカップ寸法と同じ１０８ミリのカップ形状を模造し、ボールをそのカップの穴の中に入れるものが大半で、一部カップの穴を小さくして難易度を上げているものや、カップを通過させるもの等もあるが、全てカップに入れたりカップを通過させるようなものである。
【考案の開示】
【考案が解決しようとする課題】
【０００３】考案の課題、カップ穴のないグリーンや平面マット、またマットの厚み程の浅いカップ等に対応したパター練習用の仮想カップを考案すること、特にカップの縁に蹴られたり嫌われたりする等の現象を起こりにくくする為のパッティング練習器具の発明で、カップ縁のボールコントロールの精度を上げる為に、高い上達効果の上がる合理性を兼ね備えていること、あらゆる床材にも据置きを可能とするシンプルな形状であること、何処ででも、直ぐ簡単にパター練習ができる小さく軽量な物で、年齢性別を問わず初心者から上級者まで、技術レベルに関係なく誰しもが利用できる練習器具を発明すること。【０００４】本件課題は、直径１０８ミリというボールの２．５倍以上もある実際には大きなカップの幅を最大限有効に利用する為、新たな視点に発想を転換すること、現実ボールがカップの左・右の円縁限界のラインからカップインする際、ボールの中心部が何処を通っているのか、その許容限界点を割り出し、（以下、「カップイン許容外側点」という）カップ縁での直径１０８ミリのカップと直径４２．７ミリのボールの接点関係を検証し解明すること。また本考案の使用時に、「５４ミリ部分」にボールが接触したことを容易に確認できるようにすること。
【課題を解決するための手段】
【０００５】課題の解決手段、実際のカップの直径１０８ミリの円筒状のカップ以外に、一辺１０８ミリの正方形の四角柱状のカップを製作し、左・右のカップの縁から内側に何ミリ寄れば効率よくカップインするかという実験を実施し、ボールスピードや回転の性質、芝質やカップの状態等、様々な要因により影響を受け変動はするものの、天然芝や人工芝約９フィートのグリーンで平坦箇所という一般的な状況による設定で、前方直進方向の順回転の転がりで、カップを３０センチ程度オーバーするボールスピードでの実験を繰り返した結果、ボールがカップに入る許容寸法をカップの縁より内側５．６５ミリ地点「カップイン許容外側点」と割り出し、ボールの中心部が通る限界点とした。ボールが左・右に振れた場合のカップ中心方向に対するボールの側面（以下、「ボール内側面」という」の許容通過寸法をカップの縁より内側２７ミリ地点（以下、「カップイン許容内側点」という）と算出し、本件考案でカップインさせる条件として必ず接触しなければならない「本体回転駒」のボール接触部である「５４ミリ部分」の直径を算出したのである。
【考案の効果】
【０００６】本件考案の効果は、ボールをカップインさせる為の条件として、カップの縁より内側５．６５ミリの「カップイン許容外側点」より内側にボールの中心を通過させ、「本体回転駒」の「５４ミリ部分」に「ボールの内側面」等を接触させる事だけに神経を集中させる練習方法であり、カップにボールを入れることを目的としていない為、視覚的に小さく見え難しく考えてしまいがちな円型のゴルフカップへのマイナス意識を軽減させる事ができる。そして実寸１０８ミリの幅を最大限有効活用する為に、実際ボールが入る際にボールの中心部分が通る有効範囲が、左・右の「カップイン許容外側点」を結ぶ９６．７ミリの幅であることを学習する効果があり、パットでカップに嫌われたり蹴られたりすることが減少し、ゴルフの上達を助けることができる。また床にカップ穴を開けずに、平面状のパター練習用マット等を使用する際、これまでボールが飛び出す等してカップインの判定が難しかったが、「５４ミリ部分」の折り返しを付けた半円カップ状の型紙等を敷き込めば、カップイン・カップアウトの判断がしやすくなり、パターの練習効果が上がる。
【考案を実施するための最良の状態】
【０００７】実施の最良な状態は、材質については、ボールが接触した際に回転反応する「本体回転駒」の機能を満たせば、どの様な物質であっても問題はない。実用性を考えれば軽量で加工が容易なＡＢＳ樹脂やアクリル樹脂、塩ビ樹脂等のプラスチックが望まく、「本体回転駒」の「５４ミリ部分」は僅かな接触にも反応しやすい回転ギア等の形状で、表面にシリコンゴム等のグリップ力の高い素材を用いることが合理的であり、軸棒はプラスチック以外ではステンレスやアルミ等の金属でも良い。外形は平面形や平円形及び球体及び円柱体等、軸回転が可能で「５４ミリ部分」にボールとの接点部を設ければ全く制限はない。唯一、本体の立ち上り２１ミリ部分の直径が５４ミリの円形状の形状を成す回転物体であればいいのであり、特大のゴルフボールやミニ地球儀、回転ギアや大型コイン、外周リング状のプロペラ等、様々な形状でも問題なく実施することができる。また平面カップ内に設置する「５４ミリ部分」の場合は、厚紙や塩ビ板が望ましく、半円状の形状の台座に幅５４ミリ高さ１９ミリ程度の平面長方形状の折り返し板を付ければよい。
【実施例】
【０００８】木製の半球体を平体化した形状の中心部にステンレス製の軸棒を差し込み、木製で平円状の台座の中央部にステンレスパイプを取り付け、台座のパイプの内部に本体の軸棒を差し込んで本件考案を完成し、天然芝や人口芝のグリーン上に置いてパターの練習を実施した。ボールと「本体円周部」の接触による「本体回転駒」の反応については、接触箇所が外側になる程回転速度が速く、中心部に近くなる程回転速度が遅くなり、中心部に接触した場合は殆ど回転しなかった。【０００９】パター練習用マットに、マットの厚み分の深さのカップ穴を開け、厚さ約２ミリの段ボール紙を用いて、半円状の直線部の中央部に長方形状の「５４ミリ部分」の折り返しが付いた、平面カップ敷き込み式の「５４ミリ部分」スペーサー（以下、「敷き込み式５４スペーサー」という）を製作してカップの奥側に敷き込み、パターの練習を実施したところ、カップインするべきボールは「５４ミリ部分」に当たってカップ内に定着し、「５４ミリ部分」に接触しなかったボールはそのままカップを外れて通り過ぎていった。
【産業上の利用可能性】
【００１０】当考案は材質や構造がシンプルなので、製造コストが低いうえ物流性も良く、大量生産して低価格で量販することができる。
【図面の簡単な説明】
【００１１】
【図１】正面図・背面図・左側面図・右側面図
【図２】平面図・底面図
【図３】「敷き込み式５４スペーサー」正面図・背面図
【図４】「敷き込み式５４スペーサー」左側面図・右側面図
【図５】「敷き込み式５４スペーサー」平面図・底面図
【符号の説明】
【００１２】１  「本体回転駒」
２  回転軸
３  回転軸差し込み用のパイプ
４  台座
５  「５４ミリ部分」
６  「敷き込み式５４スペーサー」の「５４ミリ部分」
【図１】
0003198855.tif 000003
【図２】
0003198855.tif 000004
0003198855.tif 000005
【手続補正書】
【提出日】平成27年5月14日(2015.5.14)
【手続補正１】
【補正対象書類名】実用新案登録請求の範囲
【補正対象項目名】全文
【補正方法】変更
【補正の内容】
【実用新案登録請求の範囲】
【請求項１】
パター又はアプローチの練習の際に用いられ、ゴルフの上達を助ける練習器具であって、
５４ミリに対して数ミリの増減変動範囲内にある直径の平面体、平円体、球体又は円柱体の立ち上がり部分を有し、
当該立ち上り部分の外周部（以下「５４ミリ部分」という。）の何処かにボールを接触させることでカップにボールが入ったとの想定により、ゴルフの上達を助けること
を特徴とする練習器具。
【請求項２】
請求項１に記載されている練習器具であって、
「５４ミリ部分」にボールが接触した際、その接触の衝撃力を利用し、立ち上り部分を軸回転させる仕組み、又は
「５４ミリ部分」にボールが接触した際、接触による力を利用し、内蔵電池又はソーラー電池による発光又は発音をする仕組み
を更に有し、
ボールがカップに入ったとの想定を視覚又は聴覚により確認することができること
を特徴とする練習器具。
【手続補正２】
【補正対象書類名】図面
【補正対象項目名】全図
【補正方法】変更
【補正の内容】
【図１】
0003198855.tif 000006
【図２】
0003198855.tif 000007
【図３】
0003198855.tif 000008
【図４】
0003198855.tif 000009
【図５】
0003198855.tif 000010